(57)【要約】【課題】  シャワー又は浴室備品を保持するための保持器具を提供し、これらに関する既存の保持器具をより一層改良することが本発明の達成すべき課題である。【解決手段】  この課題を達成するために、本発明のシャワー又は浴室備品の保持器具の特徴は、端的には、弾性の吸着部材と、前記吸着部材を支持面へ貼り付けるように前記吸着部材を動作させるために用いられる動作部材と、また前記両部材のうちの何れか1つと結合し、シャワー備品などを保持するために形成された保持部材と、を備えた点に存する。【選択図】  図１
2006118243.tif 000002
【特許請求の範囲】
【請求項１】
弾性の吸着部と、
前記吸着部を支持面へ貼り付けるように前記吸着部を動作させる動作部と、
備品などを保持するために形成され、前記吸着部及び前記動作部のうちの１つと接続されている保持部と、
を備えたことを特徴とするシャワー又は浴室備品等の保持器具。
【請求項２】
前記動作部が移動可能となる回転可能なガイド部をさらに備え、
前記ガイド部は、
前記動作部が前記ガイド部の回転に応じて変位されるように回転可能であり、
これにより、
前記吸着部は、
前記ガイド部の回転による前記動作部の変位に応じて動作することを特徴とする請求項１記載のシャワー又は浴室備品等の保持器具。
【請求項３】
前記ガイド部は、
少なくとも１つのカーブしたスロットを備えたブッシングとして形成され、
前記動作部は、
前記少なくとも１つのカーブしたスロットにおける移動可能部材を備えたことを特徴とする請求項２記載のシャワー又は浴室備品等の保持器具。
【請求項４】
前記ガイド部は、
第２のカーブしたスロットを有し、
前記動作部の前記移動可能部材は、
前記両スロットの間を移動可能であることを特徴とする請求項３記載のシャワー又は浴室備品等の保持器具。
【請求項５】
前記少なくとも１つのスロットは、
螺旋形のスロットとして形成されていることを特徴とする請求項３記載のシャワー又は浴室備品等の保持器具。
【請求項６】
前記ガイド部は、前記２つのスロットの間に、前記動作部の前記移動可能部材を固定するための陥部を有していることを特徴とする請求項４記載のシャワー又は浴室備品等の保持器具。
【請求項７】
前記ガイド部は内側に形成され、前記保持部と固定的に接していることを特徴とする請求項２記載のシャワー又は浴室備品等の保持器具。
【請求項８】
前記保持部は、
回転可能であり、
前記保持部を、複数の位置の各位置において固定する固定手段を更に備えたことを特徴とする請求項１記載のシャワー又は浴室備品等の保持器具。
【請求項９】
ハウジングを更に備え、
前記保持部及び前記ハウジングは、
前記ハウジング内における前記保持部の回転を可能とする相互に接触した球面をしていることを特徴とする請求項１記載のシャワー又は浴室備品等の保持器具。
【請求項１０】
前記固定手段は、前記ハウジングの開口部に捻じ込み可能な貫通プラグを含んでいることを特徴とする請求項８記載のシャワー又は浴室備品等の保持器具。
【請求項１１】
前記保持部は、
前記ガイド部とともに、
前記動作部の置換、及びその結果としての前記弾性部の動作を提供することが可能となるように、前記動作部に相関的に回転可能であることを特徴とする請求項２記載のシャワー又は浴室備品等の保持器具。
【請求項１２】
前記吸着部は、
吸引部と、
前記保持部と、
を含み、
前記吸着部の前記吸引部と噛み合って維持する連結部を含み、壁に取り付けることが可能な接着部を更に備えたことを特徴とする請求項１記載のシャワー又は浴室備品等の保持器具。
【請求項１３】
前記保持部は、吸引力が生じない非操作時の位置と吸引力が生じる操作時の位置との間を動く前記吸引部に相関して回転可能であることを特徴とする請求項１２記載のシャワー又は浴室備品等の保持器具。
【請求項１４】
前記接着部を壁に貼り付けるための粘着部材を更に備えたことを特徴とする請求項１２記載のシャワー又は浴室備品等の保持器具。
【請求項１５】
前記保持部は、前記吸引部の軸に対して、非操作時に垂直となり、操作時に同軸となることを特徴とする請求項１３記載のシャワー又は浴室備品等の保持器具。
【請求項１６】
前記接着部は、相互に区切られた２つの側面を有し、前記連結部が該側面の一方に位置し、前記粘着部材がもう一方の側面に位置することを特徴とする請求項１４記載のシャワー又は浴室備品等の保持器具。
【請求項１７】
前記粘着部材は、
粘着層と、
壁等に粘着的に前記粘着層を貼り付けるために除去することが可能な保護層と、
を含むことを特徴とする請求項１４記載のシャワー又は浴室備品等の保持器具。
【請求項１８】
前記接着部の前記連結部は、前記吸引部を挿入可能な通しスロットを形成することを特徴とする請求項１２記載のシャワー又は浴室備品等の保持器具。
【請求項１９】
前記連結部は、
前記接着部に対向配置され、一体としてスロットを形成する２つのカギからなり、
前記吸着部の前記吸引部を、前記接着部に対して並行的に前記スロットにスライド可能であり、前記吸着部の前記吸引部を、前記接着部に対して並行的に前記スロットからスライド可能であることを特徴とする請求項１８記載のシャワー又は浴室備品等の保持器具。
【請求項２０】
前記吸引部は圧縮可能なダイアフラムを含み、
前記２つのカギと前記スロットとは、
前記吸引部が前記スロットに介挿された場合に、前記ダイアフラムが前記吸引部を前記接着部に強固に保持するべく圧縮されるように形成されていることを特徴とする請求項１９記載のシャワー又は浴室備品等の保持器具。
【請求項２１】
弾性の吸着部を、前記弾性の吸着部を支持面に対して取り付けるように動作部により動作させるステップと、
前記動作部及び前記吸着部のうち少なくとも１つと接続されている保持部により、備品を保持するステップと、
を備えたことを特徴とするシャワー又は浴室備品を保持する方法。
【請求項２２】
前記動作部を変位させることにより前記吸着部を動作させるように、前記動作部が内部において移動可能であるガイド部を回転させるステップを更に備えたことを特徴とする請求項２１記載のシャワー又は浴室備品を保持する方法。
【請求項２３】
前記保持部を、吸引力が生じない非操作位置から前記吸着部により吸引力が生じる操作位置へ、前記吸着部の吸引部に相関的に回転させるステップを更に備えたことを特徴とする請求項２１記載のシャワー又は浴室備品を保持する方法。
【発明の詳細な説明】
【技術分野】
【０００１】
本発明は、シャワーを保持する器具又は浴室備品を保持する器具に関する。
【背景技術】
【０００２】
上述の一般的なタイプの保持器具は良く知られている。
たとえば、吸着作用により支持壁への取付けが可能で、かつ備品を保持する保持部材を有している、いわゆる吸着盤を含んだ保持器具が知られている。
特許文献としては、次に記載のものがある。
【０００３】
【特許文献１】特開２００３−１１９８５５  この文献においては、保持部材と、この保持部材に回動可能に保持されたシャワーヘッド掛止用フック部材と、前記保持部材に対し前記フック部材が回動可能な状態と回動不能な状態とに切替えるための切替機構とを備えたシャワーフックが開示されている。
【発明の開示】
【発明が解決しようとする課題】
【０００４】
ところで、従来の保持器具は、さらに改善されうると考えられる。
たとえば、前記特許文献が開示するシャワーフックによれば、シャワーを上下へ動かすことは可能であるが、左右方向へ動かすことができないという問題点があった。
【０００５】
本発明は、以上に述べたような問題点に鑑みてなされたものであり、シャワー又は浴室備品を保持するための保持器具を提供し、既存の保持器具をより一層改良することを目的とする。
【課題を解決するための手段】
【０００６】
上記課題を解決するため、請求項１に記載のシャワー又は浴室備品等の保持器具は、弾性の吸着部と、
前記吸着部を支持面へ貼り付けるように前記吸着部を動作させる動作部と、
備品などを保持するために形成され、前記吸着部及び前記動作部のうちの１つと接続されている保持部と、
を備えたことを特徴とする。
【０００７】
請求項２に記載のシャワー又は浴室備品等の保持器具は、前記動作部が移動可能となる回転可能なガイド部をさらに備え、
前記ガイド部は、
前記動作部が前記ガイド部の回転に応じて変位されるように回転可能であり、
これにより、
前記吸着部は、
前記ガイド部の回転による前記動作部の変位に応じて動作することを特徴とする。
【０００８】
請求項３に記載のシャワー又は浴室備品等の保持器具は、前記ガイド部は、
少なくとも１つのカーブしたスロットを備えたブッシングとして形成され、
前記動作部は、
前記少なくとも１つのカーブしたスロットにおける移動可能部材を備えたことを特徴とする。
【０００９】
請求項４に記載のシャワー又は浴室備品等の保持器具は、前記ガイド部は、
第２のカーブしたスロットを有し、
前記動作部の前記移動可能部材は、
前記両スロットの間を移動可能であることを特徴とする。
【００１０】
請求項５に記載のシャワー又は浴室備品等の保持器具は、前記少なくとも１つのスロットは、
螺旋形のスロットとして形成されていることを特徴とする。
【００１１】
請求項６に記載のシャワー又は浴室備品等の保持器具は、前記ガイド部は、前記２つのスロットの間に、前記動作部の前記移動可能部材を固定するための陥部を有していることを特徴とする。
【００１２】
請求項７に記載のシャワー又は浴室備品等の保持器具は、前記ガイド部は内側に形成され、前記保持部と固定的に接していることを特徴とする。
【００１３】
請求項８に記載のシャワー又は浴室備品等の保持器具は、前記保持部は、
回転可能であり、
前記保持部を、複数の位置の各位置において固定する固定手段を更に備えたことを特徴とする。
【００１４】
請求項９に記載のシャワー又は浴室備品等の保持器具は、ハウジングを更に備え、
前記保持部及び前記ハウジングは、
前記ハウジング内における前記保持部の回転を可能とする相互に接触した球面をしていることを特徴とする請求項１記載のシャワー又は浴室備品等の保持器具。
【００１５】
請求項１０に記載のシャワー又は浴室備品等の保持器具は、前記固定手段は、前記ハウジングの開口部に捻じ込み可能な貫通プラグを含んでいることを特徴とする。
【００１６】
請求項１１に記載のシャワー又は浴室備品等の保持器具は、前記保持部は、
前記ガイド部とともに、
前記動作部の置換、及びその結果としての前記弾性部の動作を提供することが可能となるように、前記動作部に相関的に回転可能であることを特徴とする請求項２記載のシャワー又は浴室備品等の保持器具。
【００１７】
請求項１２に記載のシャワー又は浴室備品等の保持器具は、前記吸着部は、
吸引部と、
前記保持部と、
を含み、
前記吸着部の前記吸引部と噛み合って維持する連結部を含み、壁に取り付けることが可能な接着部を更に備えたことを特徴とする。
【００１８】
請求項１３に記載のシャワー又は浴室備品等の保持器具は、前記保持部は、吸引力が生じない非操作時の位置と吸引力が生じる操作時の位置との間を動く前記吸引部に相関して回転可能であることを特徴とする。
【００１９】
請求項１４に記載のシャワー又は浴室備品等の保持器具は、前記接着部を壁に貼り付けるための粘着部材を更に備えたことを特徴とする。
【００２０】
請求項１５に記載のシャワー又は浴室備品等の保持器具は、前記保持部は、前記吸引部の軸に対して、非操作時に垂直となり、操作時に同軸となることを特徴とする。
【００２１】
請求項１６に記載のシャワー又は浴室備品等の保持器具は、前記接着部は、相互に区切られた２つの側面を有し、前記連結部が該側面の一方に位置し、前記粘着部材がもう一方の側面に位置することを特徴とする。
【００２２】
請求項１７に記載のシャワー又は浴室備品等の保持器具は、前記粘着部材は、
粘着層と、
壁等に粘着的に前記粘着層を貼り付けるために除去することが可能な保護層と、
を含むことを特徴とする。
【００２３】
請求項１８に記載のシャワー又は浴室備品等の保持器具は、前記ガイド部は、前記接着部の前記連結部は、前記吸引部を挿入可能な通しスロットを形成することを特徴とする。
【００２４】
請求項１９に記載のシャワー又は浴室備品等の保持器具は、前記連結部は、
前記接着部に対向配置され、一体としてスロットを形成する２つのカギからなり、
前記吸着部の前記吸引部を、前記接着部に対して並行的に前記スロットにスライド可能であり、前記吸着部の前記吸引部を、前記接着部に対して並行的に前記スロットからスライド可能であることを特徴とする。
【００２５】
請求項２０に記載のシャワー又は浴室備品等の保持器具は、前記吸引部は圧縮可能なダイアフラムを含み、
前記２つのカギと前記スロットとは、
前記吸引部が前記スロットに介挿された場合に、前記ダイアフラムが前記吸引部を前記接着部に強固に保持するべく圧縮されるように形成されていることを特徴とする。
【００２６】
請求項２１に記載のシャワー又は浴室備品等の保持方法は、弾性の吸着部を、前記弾性の吸着部を支持面に対して取り付けるように動作部により動作させるステップと、
前記動作部及び前記吸着部のうち少なくとも１つと接続されている保持部により、備品を保持するステップと、
を備えたことを特徴とする。
【００２７】
請求項２２に記載のシャワー又は浴室備品等の保持方法は、前記動作部を変位させることにより前記吸着部を動作させるように、前記動作部が内部において移動可能であるガイド部を回転させるステップを更に備えたことを特徴とする。
【００２８】
請求項２３に記載のシャワー又は浴室備品等の保持方法は、前記保持部を、吸引力が生じない非操作位置から前記吸着部により吸引力が生じる操作位置へ、前記吸着部の吸引部に相関的に回転させるステップを更に備えたことを特徴とする。
【発明の効果】
【００２９】
保持器具は、本発明に従って設計されることにより、同種の既存の保持器具よりも優れたものとなる。
【発明を実施するための最良の形態】
【００３０】
以下、図面を参照して、本発明の保持器具を実施するための最良の形態について説明する。
（第１の実施の形態）
Ａ．構成
まず、図１〜図５を用いて、保持器具の第１の実施形態の構成について説明する。
シャワー備品等を保持する器具は、公知の吸着盤として形成されており、かつ、ケース１と、ケース１の内部に設けられダイアフラムとして形成された弾性部２とを含んでいる、吸着部を有する。
【００３１】
動作部材３は、弾性部２と、好ましくは一体的に接している低端を有する。
ピン５は、動作部材３の上部に設けられた横断開口４を通って伸びている。
動作部材３はブッシング６として形成されたガイド部の内部に位置し、ブッシング６はハウジング９の内部に位置する。
ガイド部ないしブッシング６は、たとえば螺旋形のスロットとして形成されたガイドスロット７及び８を有する。
ガイドスロット７及び８は、固定作用を行なう陥部２３に流れ込むように形成されている。
【００３２】
カバー１０は、ねじ１１によってハウジング９と固定されている。
それは、連結部２２と、カバー１０及びハウジング９の内部にそれぞれ設けられた平坦面１２及び１３とによって、固定されている。
カバー１０は、球面１４とスロット１５とを備えた開口部を有している。
ハウジング９は、通し穴１６と、 貫通プラグ１８による隠れ穴１７とを有している。
ゴム部材１９が隠れ穴１７内に設けられており、ゴム部材１９は、ホルダ２１のホルダ球面部２０を、カバー１０の球面１４へ押圧する。
ホルダ２１は、そこへ掛けられるシャワー備品を保持するために、開放端のある部分的環状形態となっている。
ホルダ２１はヒンジ構造を有している。
プラグ１８が押圧要素を形成し、球状のエンド及びゴム部材１９(ワッシャー)を有している。
ホルダ２１の球面を留めるための力の調節は、貫通プラグ１８の回転により行なわれる。
【００３３】
Ｂ．作用
保持器具は以下の方法により作用する。
まず初めに、ハウジング９を、その限界位置まで、例えば反時計回りの方向に、動作部材３の周囲に沿って回転させる。
次に、弾性部２を支持面(例えば壁など)に対して押しつけ、ハウジング９を反対方向、たとえば時計と同じ方向に回転させる。
ハウジング９とともに、ガイドまたはブッシング６もまた回転することとなる。
そうすると、ガイドスロット７及び８内に配置され、動作部材３に接続されているピン５が、弾性部２と表面との間に真空を形成するように弾性部２を引き付けるために、図１で示したように垂直方向を向く。
【００３４】
以上により、保持器具は支持面へ確実に取り付けられる。
これにより、シャワー備品をホルダ２１の開口部へ掛けることができるようになり、ホルダ２１を図１の実線及び破線でそれぞれ示した内側の任意の位置に向けることができるようになる。
【００３５】
保持器具が本発明に従って設計されている場合、螺旋状のスロットに沿ったピンの変位によって真空が形成される。
開放位置の固定は、弾性部２を引き付ける真空によって行なわれる。
この過程によって加えられた力は、偏心的であり、勝手に開放することを防ぐことができる。
カバーを備えた球状の回転装置、球状の開口部及び押圧要素は、これらによって形成された球状のヒンジ内の力の調整を可能にする。
【００３６】
（第２の実施の形態）
次に、本発明の第２の実施の形態について説明する。
図６−１０は、保持器具の第２の実施形態を示すものである。
浴室備品等を保持するために使用される保持器具は、番号３１により全体的に示された吸着部を含んでいる。
吸着部３１は、例えば石鹸ホルダ３３や不図示の棒状タオル掛け等のような、浴室備品を保持するために備えられた保持部ないし部材３２を有している。
吸着部３１は、番号３４によって示された吸引部をさらに有しており、公知の形状として形成されている。
特に、吸引部３４は、中心円盤３６に接続されたダイアフラム３５を含んでおり、中心円盤３６は突起３７と接している。
【００３７】
保持部３２は、突起３７を囲む２本の脚３８を有しており、脚３８は突起３７に対して、後述するように動作部を形成するよう、回転可能となるように接続されている。
吸引部３４に相関して保持部を旋回させる旋回軸３９は、保持部３２が、吸引部３４の軸に対して垂直に伸びる図６で示した非操作時の位置から吸引部３４の軸と同軸となる図７で示した操作時の位置に回転された場合に、動作部３８の脚が、中心円盤３６及びダイアフラム３５とともに突起３７を内部に引き付け、その結果、円錐形のケース４０の内部に設けられたダイアフラム３５の下側に吸引力を生じさせるように設けられている。
【００３８】
保持器具は、番号４１により全体的に示された接着部をさらに有している。
接着部４１は、スロット４４を形成する２つのカギ４３を備えた円板４２を有している。
接着部４１の反対側には、例えば紙などの非粘着性のカバー部材４６によって予め覆われている粘着層４５が備えられている。
【００３９】
（作用）
保持器具は以下の方法により作用する。
まず、ダイアフラム３５を備えたケース４０を、カギ４３間のスロット４４に滑り込ませることによって、吸着部３１が接着部４１の中に、たとえば摩擦によって確実に保持されるように、吸着部３１と接着部４１とを組み立てる。
ダイアフラム３５は圧縮可能であるので、ダイアフラム３５は、圧縮されて吸着部３１と接着部４１とを強固に結合させる。
吸引力が吸引部３４内に生成されて確実に接着部４１の中に吸着部３１が保持されるように、保持部材３２を、図６で示された位置から図７で示された位置まで回転させる。
カバー部材４６を取り除き、吸着部３１を粘着層４５を通して壁などに貼り付ける。
このポジションにおいて、保持器具は、たとえば浴室や流し台の近くにある石鹸ホルダ３３等を保持する。
【００４０】
しかしながら、例えばバスタブなどに子供を浸からせるために石鹸ホルダを別の場所に動かすことが必要な場合には、ダイアフラム３５の下の吸着力を失わせるために、保持部材３２を図７に示された位置から図６に示される位置に吸引部３４と相関的に回転させる。そして、吸着部３１を接着部４１から取り除くために、吸着部３１をスロット４４から取り外す。
そうすれば、吸着部３１を、バスタブの近くなどの別の場所に移動することができる。
吸着部３１の左側を壁に対して取り付けることができ、バスタブの近くの場所で石鹸ホルダ３３を保持するために、吸着部３１が壁に貼り付けられるように、保持部材３２を図６に示した位置から図７に示した位置に回転させる。
【００４１】
このように、本実施形態の保持器具によれば、浴室備品をある場所で半ば永久に保持することができ、そして必要があれば、取り外すことができ、かつ保持器具の各部、特に吸着部を、別の場所で浴室備品を保持するべくそこへ移動させることができる。
【００４２】
なお、以上２つの実施形態に示した具体的態様以外の態様についても、本発明の目的の範囲内で各種の変形実施、変形的な構成が可能である。出願人は、このような変形実施等を排除する意思を有していないので、特許請求の範囲を解釈する際には当該各種の変形態様も含まれるものとして解されなければならない。
【図面の簡単な説明】
【００４３】
【図１】本発明のシャワー備品等の保持器具の断面図である。
【図２】図１における本発明の保持器具の上面図である。
【図３】本発明の保持器具の部分的な断面図である。
【図４】本発明の保持器具の部分的な断面図である。
【図５】本発明の保持器具のガイド部を示す図である。
【図６】本発明の第２実施形態における保持器具の吸着部が非操作位置にある場合を示す図である。
【図７】本発明の第２実施形態における保持器具の吸着部が操作位置にある場合を示す図である。
【図８】本発明の第２実施形態における保持器具の接着部の側面図である。
【図９】本発明の第２実施形態における保持器具の接着部の正面図である。
【図１０】本発明の第２実施形態における保持器具の接着後を示す図である。
【符号の説明】
【００４４】
２  弾性部（吸着部）
３  動作部材（動作部）
２１、３２  保持部
６  ブッシング（ガイド部）
７、８  ガイドスロット（スロット）
９  ハウジング
１８  貫通プラグ（固定手段）
２３  陥部
３１  吸着部
３４  吸引部
３５  ダイアフラム
３８  脚（動作部）
４１  接着部
４２  円板（連結部）
４３  カギ（連結部）
４４  通しスロット（連結部）
４５  粘着層（粘着部材）
４６  保護層（粘着部材）
【図１】
2006118243.tif 000003
【図２】
2006118243.tif 000004
【図３】
2006118243.tif 000005
【図４】
2006118243.tif 000006
【図５】
2006118243.tif 000007
【図６】
2006118243.tif 000008
【図７】
2006118243.tif 000009
【図８】
2006118243.tif 000010
【図９】
2006118243.tif 000011
【図１０】
2006118243.tif 000012